(57)【要約】【課題】撮影した画像に対して、再撮影をすることなく使用者の意図を反映させた画像処理を施すことができるようにする。【解決手段】撮像素子１０１からの撮影データを一旦メモリ１０５に記録しておき、撮影データのデジタル現像処理結果の画像を表示し、その表示画像からデジタル現像処理時の各種の画像処理のパラメータが撮影画像に対して不適切であると判断された場合、再度パラメータ設定を修正して、メモリ１０５から撮影データを読み出して再デジタル現像処理する動作を必要回数行い、撮影者の意図した画質が得られた時点で記録媒体１１７に記録する。【選択図】      図１
2006005477.tif 000002
【特許請求の範囲】
【請求項１】
被写体像を撮像する撮像手段と、
該撮像手段から出力された第１の画像信号に所定の処理を施して生成された第２の画像信号を記憶する第１の記憶手段と、
前記第２の画像信号に画像処理を施して第３の画像信号を生成する画像処理手段と、
前記第３の画像信号を表示する表示手段と、
前記第３の画像信号を記憶する第２の記憶手段と、
前記画像処理手段における画像処理のためのパラメータを変更する変更手段と、
前記第２の記憶手段から前記第３の画像信号を読み出して記録媒体に記録することを指示する記録指示手段とを具備し、
前記変更手段により前記パラメータが変更される毎に、前記第１の記憶手段から前記第２の画像信号を読み出して、変更されたパラメータに応じて前記画像処理手段による画像処理を行い、新たに前記第３の画像信号を生成して前記表示手段により表示すると共に前記第２の記憶手段に記憶する動作を行い、前記記録指示手段の指示により前記第２の記憶手段から所望の前記第３の画像信号を読み出して前記記録媒体に記録することを特徴とする撮像装置。
【請求項２】
前記画像処理は、前記第２の画像信号にホワイトバランス調整処理を行うホワイトバランス処理と、前記第２の画像信号レベルを調整するゲイン処理と、画像信号にローパスフィルターを施すローパスフィルター処理と、前記撮像手段が備える複数の色フィルタに対応した各信号成分を別の色成分から構成される信号に変換するマトリックス演算処理と、ガンマ特性テーブルにより画像のコントラストを調整するコントラスト処理と、色成分に対するゲイン補正処理と、色相を変換する色相補正処理と、画像の輪郭を強調する輪郭強調処理のうちの少なくとも複数の処理を含むことを特徴とする請求項１に記載の撮像装置。
【請求項３】
前記複数の処理のうちの少なくとも１つの処理を選択する選択手段をさらに具備し、前記変更手段は、前記選択手段により選択された処理のためのパラメータを変更することを特徴とする請求項２に記載の撮像装置。
【請求項４】
前記選択手段により選択された処理がホワイトバランス処理である場合には、前記変更手段は、ホワイトバランス制御値を変更することを特徴とする請求項３に記載の撮像装置。
【請求項５】
前記選択手段により選択された処理がゲイン処理である場合には、前記変更手段は、ゲイン処理の数値を変更することを特徴とする請求項３に記載の撮像装置。
【請求項６】
前記選択手段により選択された処理がローパスフィルター処理である場合には、前記変更手段は、ローパルフィルターの特性を変更することを特徴とする請求項３に記載の撮像装置。
【請求項７】
前記選択手段により選択された処理がマトリックス演算処理である場合には、前記変更手段は、マトリックス値を変更することを特徴とする請求項３に記載の撮像装置。
【請求項８】
前記選択手段により選択された処理がコントラスト処理である場合には、前記変更手段は、ガンマ特性テーブルを変更することを特徴とする請求項３に記載の撮像装置。
【請求項９】
前記選択手段により選択された処理がゲイン補正処理である場合には、前記変更手段は、補正ゲイン値を変更することを特徴とする請求項３に記載の撮像装置。
【請求項１０】
前記選択手段により選択された処理が色相補正処理である場合には、前記変更手段は、色相を変換する補正値を変更することを特徴とする請求項３に記載の撮像装置。
【請求項１１】
前記選択手段により選択された処理が輪郭強調処理である場合には、前記変更手段は、輪郭強調処理の数値を変更することを特徴とする請求項３に記載の撮像装置。
【請求項１２】
被写体像を撮像する撮像工程と、
該撮像工程において得られた第１の画像信号に所定の処理を施して生成された第２の画像信号を第１の記憶手段に記憶する第１の記憶工程と、
前記第２の画像信号に画像処理を施して第３の画像信号を生成する画像処理工程と、
前記第３の画像信号を表示手段に表示する表示工程と、
前記第３の画像信号を第２の記憶手段に記憶する第２の記憶工程と、
前記画像処理工程における画像処理のためのパラメータを変更する変更工程と、
前記第２の記憶手段から前記第３の画像信号を読み出して記録媒体に記録することを指示する記録指示工程とを具備し、
前記変更工程において前記パラメータが変更される毎に、前記第１の記憶手段から前記第２の画像信号を読み出して、変更されたパラメータに応じて前記画像処理工程を行い、新たに前記第３の画像信号を生成して前記表示手段に表示すると共に前記第２の記憶手段に記憶する動作を行い、前記記録指示工程における指示により前記第２の記憶手段から所望の前記第３の画像信号を読み出して前記記録媒体に記録することを特徴とする撮像方法。
【請求項１３】
請求項１２に記載の撮像方法をコンピュータに実行させることを特徴とするプログラム。
【発明の詳細な説明】
【技術分野】
【０００１】
本発明は、撮像素子により撮影された画像信号に対して複数の画像処理からなるデジタル現像処理を行い、デジタル現像処理が行われた画像を表示部で確認した後に記録媒体に記録する技術に関するものである。
【背景技術】
【０００２】
デジタルカメラの市場への普及が近年急速に進み、撮影機器としての役割は従来のカラーフィルムを用いたカメラからデジタルカメラへと置き換わりつつある。その理由のひとつとして、撮像素子により撮影された画像信号に対して複数の画像処理からなるデジタル現像処理を行って、撮影直後に付属のＴＦＴモニタなどの画像表示装置に表示して、撮影結果を瞬時に観察できる機能を備えていることがあげられる。このようなデジタルカメラの一例が、例えば、特許文献１に記載されている。
【０００３】
また、フィルムカメラでは、カメラに装填したフィルムにより、感度やホワイトバランスや発色などの特性は決められてしまうが、デジタルカメラでは、画像処理用パラメータの設定を変更することにより、撮影画像の発色などを容易に変更することが可能である。
【０００４】
図３は、複数の色フィルタを備える従来のデジタルカメラの構成の一例を示すブロック図である。
【０００５】
複数の色フィルタは、例えば図２１に示されるような、Ｒ（レッド）、Ｇｒ１（グリーン１）、Ｇｒ２（グリーン２）、Ｂ（ブルー）の配列を持つ原色フィルタであるとする。ここでは、Ｇｒ１、Ｇｒ２は回路構成上異なる読み出しアンプを用いる場合を考慮して、Ｒ行のＧｒをＧｒ１、Ｂ行のＧｒをＧｒ２として、Ｇｒ１，Ｇｒ２を異なる色成分として扱う。
【０００６】
このような配列の色フィルタを持つ撮像素子３０１により撮影されて、Ａ／Ｄ変換器３０３によりＡ／Ｄ変換されたデジタル色信号の各色成分データ３０４に対して、ホワイトバランス調整処理部３２０によりホワイトバランス調整処理が行われる。
【０００７】
ここでは、ホワイトバランス処理を行うためのホワイトバランス制御値が各色成分ごとにパラメータとして与えられる。この各制御値は、各色成分の画素ごとに乗算されて、画像の無彩色の部分の各色信号成分の大きさの比率が、Ｒ：Ｇｒ１：Ｇｒ２：Ｂ＝１：１：１：１になるように設定される。
【０００８】
撮影された画像データから撮影画像に適したホワイトバランス制御値を自動で求めるオートホワイトバランスの場合は、例えば以下のようにして求める方法がある。
【０００９】
画像データのうちの隣接しあったＲ，Ｇｒ１，Ｇｒ２，Ｂで、Ｒ：Ｂ比、（Ｒ＋Ｂ）：（Ｇｒ１＋Ｇｒ２）比を求めて、図１９に示されるような二次元座標上に★印２１０３のようにプロットし、黒体輻射軌跡、あるいはＣＩＥ昼光軌跡と呼ばれる軌跡線２１０２の近傍の座標範囲２１０１に位置したＲ，Ｇｒ１，Ｇｒ２，Ｂの組み合わせを無彩色の領域とする。そして、その領域中の、色成分ごとの積分値ＳｕｍＲ，ＳｕｍＧｒ１，ＳｕｍＧｒ２，ＳｕｍＢを求め、それよりＳｕｍＲ：ＳｕｍＧｒ１：ＳｕｍＧｒ２：ＳｕｍＢ比を求めて、その比が１：１：１：１になるようなホワイトバランス制御値ＷｂＲ，ＷｂＧｒ１，ＷｂＧｒ２，ＷｂＢを次式のようにして求める。
【００１０】
ＷｂＲ＝（ＳｕｍＧｒ１＋ＳｕｍＧｒ２）／（２×Ｒ）          …（１）
ＷｂＧｒ１＝（ＳｕｍＧｒ１＋ＳｕｍＧｒ２）／（２×Ｇｒ１）  …（２）
ＷｂＧｒ２＝（ＳｕｍＧｒ１＋ＳｕｍＧｒ２）／（２×Ｇｒ２）  …（３）
ＷｂＢ＝（ＳｕｍＧｒ１＋ＳｕｍＧｒ２）／（２×Ｂ）          …（４）
オートホワイトバランスでは、このホワイトバランス制御値をこの画像での最適な光源の色温度に対して決定し、画像データのうち、Ｒフィルタの画素に対してＷｂＲを、Ｇｒ１フィルタの画素に対してＷｂＧｒ１を、Ｇｒ２フィルタの画素に対してＷｂＧｒ２を、Ｂフィルタの画素に対してＷｂＢをそれぞれ乗算することでホワイトバランス調整処理を行う。
【００１１】
このオートホワイトバランス以外にも、所定の光源の色温度に対する一定の制御値ＷｂＲ，ＷｂＧｒ１，ＷｂＧｒ２，ＷｂＢを与えてホワイトバランス調整処理を行うプリセットホワイトバランスや、撮影を行う光源と同一の光源下であらかじめ無彩色の物体を撮影し、その撮影画像のＲ，Ｇｒ１，Ｇｒ２，Ｂのデータよりホワイトバランス制御値ＷｂＲ，ＷｂＧｒ１，ＷｂＧｒ２，ＷｂＢを求めるマニュアルホワイトバランスなどがある。
【００１２】
次に、ホワイトバランス処理された画像信号に対して、レベル補正部３２２において、色成分ごとに画素に関係なく一律に同じゲイン値をパラメータとして与え、これを各信号成分に乗算することにより信号レベルの補正を行う。
【００１３】
レベル補正が行われた画像信号に対して、ローパスフィルター処理部３２４でローパスフィルター処理が行われる。
【００１４】
ここでは、各色フィルターに対応した画素ごとにＲ，Ｇｒ１，Ｇｒ２，Ｂの４種類の２次元平面に分離し、図２２のようにそれぞれの平面で自身の色フィルターの割り当てのなかった画素配置の位置の画素に０を割り当てて挿入し、各２次元平面ごとにフィルタリング処理を行う。
【００１５】
次に、ローパスフィルター処理部３２４から出力された信号３２５に対して、マトリックス処理部３２６において、各色信号成分を他の色信号成分に置き換えるためのマトリックス演算処理が行われる。例えば（Ｒ，Ｇｒ１，Ｇｒ２，Ｂ）の信号成分を（Ｙ，Ｃｒ，Ｃｂ）の輝度信号Ｙ、色信号Ｃｒ，Ｃｂの各信号成分に変換する演算は次式のように４×３のマトリックス変換によって演算される。
【００１６】
【数１】
2006005477.tif 000003
【００１７】
…（Ａ）
（Ｙ，Ｃｒ，Ｃｂ）の信号成分に変換された画像信号は、ガンマテーブルによってコントラスト調整処理３２８がなされる。例えば、図７に示されるような１０ビット入力画像信号から８ビット画像信号に変換する特性テーブルがパラメータとして与えられ、画像の階調やコントラストが調整される。
【００１８】
ガンマテーブルによってコントラスト調整された画像データ３２９のうち、Ｃｒ，Ｃｂ信号は色処理である色ゲイン補正部３３０、Ｙ信号は輝度信号処理である輪郭強調部３３３に分けてそれぞれ送られる。
【００１９】
輝度・色信号成分に分離された（Ｙ，Ｃｒ，Ｃｂ）の各信号成分のうち、色信号成分Ｃｒ，Ｃｂに対しては、色ゲイン補正部３３０で色ゲイン補正処理を行う。ここでは色ゲイン補正値をパラメータとして、Ｃｒ，Ｃｂ値にこのゲインを乗算して色の濃度の調整をする。この色ゲイン補正によって、Ｃｒ−Ｃｂ座標上でゲインがかかり、色の彩度の調整を行うことができる。
【００２０】
さらに、色信号成分Ｃｒ、Ｃｂに対して、色相マトリックス変換部３３２において、２×２のマトリックス演算を行うことによって、色相の調整を行う。ここでは、２×２のマトリックスをパラメータとして与えて、次式の演算により（Ｃｒ，Ｃｂ）２次元の座標上で座標の変換を行うことで色相角の変換を行う。
【００２１】
【数２】
2006005477.tif 000004
【００２２】
…（Ｂ）
一方、輝度信号成分Ｙに対しては、輪郭強調処理部３３３において、輪郭強調処理を行う。ここでのパラメータは、輪郭強調をかける画素に対して参照する隣接画素の数やエッジ強調のゲイン値やエッジ強調をかける輪郭検出の閾値であるオフセット値などがある。
【００２３】
例えば図２０に示すように、輪郭強調の参照画素を輪郭強調する対象画素Ｐの周囲８画素（ａ１〜ａ８）とすると、対象画素Ｐを含めて９画素の平均値Ｓを求める。
【００２４】
【数３】
2006005477.tif 000005
【００２５】
次に対象画素と平均値Ｓの差分を求め、この差分が前記オフセット値ｔｈを越えたとき、輪郭強調のゲイン値Gainをかけて、それを元の対象画素Ｐに加算することで輪郭強調処理を行う。
Ｐ'＝Ｐ＋（Ｐ−Ｓ−ｔｈ）・Gain        (（Ｐ−Ｓ）≧th）
これらのパラメータにより画像の輪郭強調処理の強弱の調整を行う。ゲイン値を大きくすることで輪郭強調を強くすることができ、小さくすると輪郭強調を弱くすることができる。また、オフセット値を大きくすることで輪郭強調を弱くすることができ、小さくすることで輪郭強調を強くすることができる。
【００２６】
以上のように、各種の画像処理によってデジタル現像処理された画像信号（Ｙ，Ｃｒ，Ｃｂ）は、フォーマット部３０９において、例えばJPEGファイルのような汎用画像フォーマットに画像ファイル化して、画像記録部３１７において、コンパクトフラッシュ（登録商標）メモリカードなどのカメラ本体から取り外しが可能な各種の記録媒体に記録する。
【特許文献１】特開２００３−１３４５３０号公報
【発明の開示】
【発明が解決しようとする課題】
【００２７】
以上の説明によると、撮影画像をデジタル現像処理する際の各種の画像処理用パラメータを撮影前に設定することによって、様々な撮影条件に対して、デジタルカメラの使用者の意思を反映させた画像処理を実現することは可能である。しかし、撮影中の撮影条件の変化などにより、撮影者の意図が反映されない画質の画像が撮影された場合は、各パラメータを再設定して、再度撮影を行う必要があり、また、設定したパラメータが最適なものであるかは、撮影後の画像確認まで分からないため、再撮影を繰り返す場合が生じ、撮影者の意図した撮影場面を撮り逃す問題が生じる場合がある。
【００２８】
したがって、本発明は上述した課題に鏡みてなされたものであり、その目的は、撮影した画像に対して、再撮影をすることなく使用者の意図を反映させた画像処理を施すことができるようにすることである。
【課題を解決するための手段】
【００２９】
上述した課題を解決し、目的を達成するために、本発明に係る撮像装置は、被写体像を撮像する撮像手段と、該撮像手段から出力された第１の画像信号に所定の処理を施して生成された第２の画像信号を記憶する第１の記憶手段と、前記第２の画像信号に画像処理を施して第３の画像信号を生成する画像処理手段と、前記第３の画像信号を表示する表示手段と、前記第３の画像信号を記憶する第２の記憶手段と、前記画像処理手段における画像処理のためのパラメータを変更する変更手段と、前記第２の記憶手段から前記第３の画像信号を読み出して記録媒体に記録することを指示する記録指示手段とを具備し、前記変更手段により前記パラメータが変更される毎に、前記第１の記憶手段から前記第２の画像信号を読み出して、変更されたパラメータに応じて前記画像処理手段による画像処理を行い、新たに前記第３の画像信号を生成して前記表示手段により表示すると共に前記第２の記憶手段に記憶する動作を行い、前記記録指示手段の指示により前記第２の記憶手段から所望の前記第３の画像信号を読み出して前記記録媒体に記録することを特徴とする。
【００３０】
また、本発明に係る撮像方法は、被写体像を撮像する撮像工程と、該撮像工程において得られた第１の画像信号に所定の処理を施して生成された第２の画像信号を第１の記憶手段に記憶する第１の記憶工程と、前記第２の画像信号に画像処理を施して第３の画像信号を生成する画像処理工程と、前記第３の画像信号を表示手段に表示する表示工程と、前記第３の画像信号を第２の記憶手段に記憶する第２の記憶工程と、前記画像処理工程における画像処理のためのパラメータを変更する変更工程と、前記第２の記憶手段から前記第３の画像信号を読み出して記録媒体に記録することを指示する記録指示工程とを具備し、前記変更工程において前記パラメータが変更される毎に、前記第１の記憶手段から前記第２の画像信号を読み出して、変更されたパラメータに応じて前記画像処理工程を行い、新たに前記第３の画像信号を生成して前記表示手段に表示すると共に前記第２の記憶手段に記憶する動作を行い、前記記録指示工程における指示により前記第２の記憶手段から所望の前記第３の画像信号を読み出して前記記録媒体に記録することを特徴とする。
【発明の効果】
【００３１】
本発明によれば、撮影した画像に対して、再撮影をすることなく使用者の意図を反映させた画像処理を施すことが可能となる。
【発明を実施するための最良の形態】
【００３２】
以下、本発明の好適な実施形態について、図面を参照して説明する。
【００３３】
（第１の実施形態）
図１は、本発明の第１の実施形態に係る撮像装置の一例であるデジタルカメラの構成を示すブロック図である。なお、第１の実施形態では、撮像装置の一例としてデジタルカメラを採用した場合を説明するが、第１の実施形態に係る撮像装置はデジタルビデオカメラ、デジタルカメラ付き装置（デジタルカメラ付き携帯電話を含む）等で構成することも可能である。
【００３４】
本実施形態では、撮影画像に対してデジタル現像処理部で現像した結果を画像表示部で確認した後、デジタル現像処理部の複数種類の画像処理のうちの、１種類以上の画像処理のパラメータを切り替えて再現像する。そして、再現像結果が画像表示部で所望の現像結果であると確認された後、記録指示部の指示によって記録部において記録媒体に記録するものである。
【００３５】
図１において、１０１は複数の色フィルタを備える撮像手段である撮像素子、１０３は撮像素子１０１より出力された第１の画像信号１０２をデジタルデータである第２の画像信号１０４に変換するＡ／Ｄ変換部、１０５はＡ／Ｄ変換された第２の画像信号１０４を記録しておく第１のメモリ、１０６は複数の画像処理からなるデジタル現像処理を行うデジタル現像処理部、１０７はデジタル現像処理によって生成された第３の画像信号（色差信号）、１０９は信号１０８（輝度信号）を画像ファイル化するフォーマット部、１１１は第３の画像信号をファイル化したデータ１１０を表示する画像表示部、１１２は第３の画像信号をファイル化したデータ１１０を保持しておく第２のメモリ、１１７は第２のメモリ１１２から読み出した第３の画像信号をファイル化したデータ１１６を記録する記録部、１１３は第２のメモリ１１２から第３の画像信号をファイル化したデータを読み出して、カメラから取り出し可能な記録媒体１１７に記録するための記録指示信号１１４を出力する記録指示部である。
【００３６】
また、デジタル現像処理を行うデジタル現像処理部１０６は、ホワイトバランス調整処理部１２０、画像信号レベル調整をするゲイン処理部１２２、ローパスフィルター処理部１２４、色成分の構成を変換するマトリックス演算処理部１２６、コントラストの調整を行うガンマ特性テーブル変換処理部１２８、色成分にゲインをかける色ゲイン補正処理部１３０、色相を変換する色相調整処理部１３２、輪郭強調処理部１３３を備えて構成されている。
【００３７】
さらに、１３４はこれらの画像処理のパラメータを切り替える指示信号１３７を出力し、第１のメモリ１０５から第２の画像信号１３６を読み出して再現像する指示信号１３５を出力するパラメータ切換指示部である。各パラメータへの切換指示信号１３７のうち、ホワイトバランス調整処理部１２０のパラメータは１３７ａ、ゲイン処理部１２２のパラメータは１３７ｂ、ローパスフィルター処理部１２４のパラメータは１３７ｃ、マトリックス演算処理部１２６のパラメータは１３７ｄ、ガンマ特性変換処理部１２８のパラメータは１３７ｅ、色ゲイン補正処理部１３０のパラメータは１３７ｆ、色相調整処理部１３２のパラメータは１３７ｇ、輪郭強調処理部１３３のパラメータは１３７ｈによってそれぞれ切り替えられる。
【００３８】
従来例と同様に（Ｒ，Ｇ１，Ｇ２，Ｂ）の４色のカラーフィルタを持つ撮像素子１０１から得られた（Ｒ，Ｇ１，Ｇ２，Ｂ）４色の色成分で構成される画像信号１０２は、Ａ／Ｄ変換部１０３によってデジタルの第２の画像信号１０４に変換される。
【００３９】
このデジタル画像信号１０４は、図４に示されるデジタルカメラの背面４００の画像調整スイッチ４０４を押すことによって、その後の撮影が行われた際に、デジタル現像処理部１０６に送られる以外に、後述する再現像指示信号１３５により読み出し可能な第１のメモリ１０５に送られて保持されるように設定される。
【００４０】
画像信号１０４に対して、デジタル現像処理部１０６において、撮影後１回目のデジタル現像処理を行う。このとき、各種の画像処理におけるパラメータをデフォルトの設定状態で処理する。
【００４１】
本実施形態では、デジタル現像処理部１０６での処理には、ホワイトバランス調整処理部１２０、画像信号レベル調整をするレベル補正部１２２、ローパスフィルター処理部１２４、色成分の構成を変換するマトリックス演算処理部１２６、コントラストの調整を行うガンマ特性テーブル変換処理部１２８、色成分にゲインをかける色ゲイン補正処理部１３０、色相を変換する色相調整処理部１３２、輪郭強調処理部１３３での各種の画像処理があり、そのうち、ガンマ特性テーブル変換処理部１２８、色ゲイン補正処理部１３０、輪郭強調処理部１３３のパラメータの組み合わせを現像パラメータとして変更して再現像を行う場合について説明する。
【００４２】
図６は、本実施形態でのガンマ特性テーブルを表す図である。ここで、横軸はこの処理部の入力レベル１０ビット、縦軸は出力レベル８ビットとする。
【００４３】
デフォルトのテーブル６０１に対して、テーブル６０２の曲線はコントラストの強い画像を出力する特性のテーブルとなる。また、テーブル６０３の曲線はコントラストの弱い画像を出力する特性のテーブルとなる。パラメータ切換指示命令１３７ｅによって、パラメータであるこのガンマ特性テーブルは、「デフォルト」「コントラスト強」「コントラスト弱」の３種類の間で切り替えられる。
【００４４】
また、色ゲイン補正処理部１３０では、デフォルトで１．０倍の色ゲインとするのに対して、色濃度の高い処理で１．２倍をかけて現像結果の色の彩度を高くし、色濃度の低い処理で０．８倍をかけて現像結果の色の彩度を低くする。パラメータ切換指示命令１３７ｆによって、パラメータである色ゲイン補正テーブルは、「デフォルト」「色濃度濃い」「色濃度薄い」の３種類の間で切り替えられる。
【００４５】
さらにまた、輪郭強調処理部１３３では、従来例で説明した輪郭強調のゲイン値をデフォルトで１．０倍とするのに対して、輪郭強調強いで２．０倍、輪郭強調弱いで０．０倍にして輪郭強調の強弱の度合いを変える。また、オフセット値をデフォルトで４．０と設定し、それに対して輪郭強調を強くする設定で２．０を与える。これで、パラメータ切換指示命令１３７ｈによって、パラメータである輪郭強調テーブルは、「デフォルト」（ゲイン値１．０、オフセット値４．０）、「強い」（ゲイン値２．０、オフセット値２．０）、「弱い（輪郭強調オフ）」（ゲイン値０．０、オフセット値任意）の３種類の間で切り替えられる。
【００４６】
以上の３種類の画像処理のテーブルを組み合わせて、「ガンマ特性テーブル→デフォルト」「色ゲイン補正テーブル→デフォルト」「輪郭強調テーブル→デフォルト」の組み合わせを「現像パラメータ１」とし、「ガンマ特性テーブル→コントラスト強」「色ゲイン補正テーブル→色濃度濃い」「輪郭強調テーブル→強い」の組み合わせを「現像パラメータ２」とし、「ガンマ特性テーブル→コントラスト弱」「色ゲイン補正テーブル→色濃度薄い」「輪郭強調テーブル→弱い（輪郭強調オフ）」の組み合わせを「現像パラメータ３」とする。
【００４７】
ここで本実施形態の特徴的な動作について説明する。
【００４８】
前記のように、図４に示されるデジタルカメラの背面の画像調整スイッチ４０４を押し、撮影が行われたとき、図１の画像データ１０４は、デジタル現像処理部１０６でデジタル現像処理される以外に、第１のメモリ１０５に送られて保持される。デジタル現像処理部１０６においては、撮影後１回目のデジタル現像処理が「現像パラメータ１」すなわちデフォルトのパラメータ設定状態で行われる。
【００４９】
このとき、現像結果である第３の画像信号１０７（色差信号）、１０８（輝度信号）をフォーマット部１０９においてJPEGファイル化し、第２のメモリ１１２に送る。
【００５０】
また、このJPEGファイル化された第３の画像信号を表示部１１１にも送り、図５に示されるように、現像結果の画像５０２を、現像パラメータ選択表５０３とともに表示部５０１に表示する。
【００５１】
ここで、図４に示される、カメラ背面の十字キー４１２を押すことによって、選択される現像パラメータを「現像パラメータ１」から「現像パラメータ２」に切り替える。この操作によって、図１の切換指示部１３４よりパラメータ切換指示信号１３７が出力され、ガンマ特性テーブルは１３７ｅによって「デフォルト」から「コントラスト強」に、色ゲイン補正処理部は１３７ｆによって「デフォルト」から「色濃度濃い」に、輪郭強調処理部は１３７ｈによって「デフォルト」から「強い」に、それぞれパラメータ設定値が切り替えられる。
【００５２】
そして、切換指示部１３４より出力された再現像指示信号１３５によって、第１のメモリに記録されていた第２の画像信号を読み出してデジタル現像処理部１０６によって再デジタル現像処理が行われる。
【００５３】
再現像された第３の画像信号１０７（色差信号）、１０８（輝度信号）は、フォーマット部１０９においてJPEGファイル化され、ファイル化された画像信号１１０は、第２のメモリ１１２に送られ、「現像パラメータ１」でデジタル現像処理された画像ファイルに上書きされるか、または別の領域に記録され、さらにファイル化された画像信号１１０は、表示部１１１に送られ、それまで表示されていた「現像パラメータ１」によるデジタル現像処理結果の画像データと置きかえられて、「現像パラメータ２」によるデジタル現像処理結果の画像データとして表示される。
【００５４】
さらに、図４に示される、カメラ背面の十字キー４１２を押すことによって、選択される現像パラメータを「現像パラメータ２」から「現像パラメータ３」に切り替える。この操作によって、図１の切換指示部１３４よりパラメータ切換指示信号１３７が出力され、ガンマ特性テーブルは１３７ｅによって「コントラスト強」から「コントラスト弱」に、色ゲイン補正処理部は１３７ｆによって「色濃度濃い」から「色濃度薄い」に、輪郭強調処理部は１３７ｈによって「強い」から「弱い（輪郭強調オフ）」に、それぞれパラメータ設定値が切り替えられ、前記と同様に再デジタル現像処理が行われて、「現像パラメータ３」による現像結果の画像データが、第２のメモリ１１２に記録され、表示部１１１に「現像パラメータ２」から置きかえられて表示される。
【００５５】
さらに、図４に示される、カメラ背面の十字キー４１２を押すことによって、元の「現像パラメータ１」により現像されたデフォルトの状態に戻る。
【００５６】
また、図４に示される、カメラ背面の十字キー４０９を押すことによって、前記とは逆の順序で現像パラメータを切り替えることができる。
【００５７】
現像パラメータを切り替えて、表示部１１１に現れるデジタル現像処理結果の画像４０２を観察し、カメラの使用者は、希望の現像パラメータを選択し図４に示されるパラメータ選択ボタン４０８を押す。この操作によって、記録指示部１１３より記録指示命令１１４が出力されて、選択された現像パラメータによるデジタル現像処理結果の画像ファイルのデータが第２のメモリ１１２より読み出されて、記録媒体１１７に記録される。
【００５８】
以上のようにして、現像パラメータを切り替えることで、標準設定の「現像パラメータ１」と、標準設定に対してコントラストが強く、色の濃度が濃く、輪郭強調の効いた、撮ったままで後処理不要で使用できるような「現像パラメータ２」と、標準設定に対してコントラストが弱く、色の濃度が薄く輪郭強調されていない、後処理の自由度の高い素材として使用できるような「現像パラメータ３」とを、現像結果をモニタ４０１に表示された画像４０２で比較して、カメラの使用者が最適と思われる画像を選択して記録することができる。
【００５９】
このようにして、撮影中の撮影条件の変化などにより、撮影者の意図が反映されない画質の画像が撮影された場合であっても、現像パラメータを切り替えて再設定してデジタル現像処理することが可能となり、また、設定したパラメータが最適なものであるかの確認を容易に行えるので、再撮影を繰り返す必要がなくなり、撮影者の意図した撮影場面を撮り逃すことがなくなり、最適な撮影結果を常時実現できるようになる。
【００６０】
本実施形態では、現像パラメータに、ガンマ特性テーブル、色ゲイン補正、輪郭強調処理を組み合わせて説明したが、この他にも、ホワイトバランス調整処理部１２０やマトリックス演算処理部１２６や色相調整処理部１３２を用いて、現像結果の画像の発色特性を切り替えたり、レベル補正部１２２を用いて露出の補正を行ったり、ローパスフィルター処理部１２４の特性を切り替えて画質の調子を切り替えたりすることも可能である。
【００６１】
（第２の実施形態）
次に、本発明の第２の実施形態について説明する。
【００６２】
図２は、本発明の第２の実施形態に係る撮像装置の一例であるデジタルカメラの構成を示すブロック図である。なお、第２の実施形態では、撮像装置の一例としてデジタルカメラを採用した場合を説明するが、第２の実施形態に係る撮像装置はデジタルビデオカメラ、デジタルカメラ付き装置（デジタルカメラ付き携帯電話を含む）等で構成することも可能である。
【００６３】
本実施形態は、撮影画像に対してデジタル現像処理部で現像した結果を画像表示部で確認した後、デジタル現像処理部の複数種類の画像処理のうちの、１種類の画像処理を選択し、そのパラメータを切り替えて再現像し、再現像結果を画像表示部で所望の現像結果であることを確認した後、記録指示部の指示によって記録部において記録媒体に記録するものである。
【００６４】
図２において、２０１は複数の色フィルタを備える撮像手段である撮像素子、２０３は撮像素子２０１より出力された第１の画像信号２０２をデジタルデータである第２の画像信号２０４に変換するＡ／Ｄ変換部、２０５は第２の画像信号２０４を記録しておく第１のメモリ、２０６は複数の画像処理からなるデジタル現像処理を行うデジタル現像処理部、２０９はデジタル現像処理によって生成された第３の画像信号２０７（色差信号）、２０８（輝度信号）を画像ファイル化するフォーマット部、２１１は第３の画像信号をファイル化したデータ２１０を表示する画像表示部、２１２は第３の画像信号をファイル化したデータ２１０を保持しておく第２のメモリ、２１７は第２のメモリ２１２から読み出した第３の画像信号をファイル化したデータ２１６を記録する記録部、２１３は第２のメモリ２１２から第３の画像信号をファイル化したデータを読み出して、カメラから取り出し可能な記録媒体２１７に記録するための記録指示信号２１４を出力する記録指示部である。
【００６５】
また、デジタル現像処理を行うデジタル現像処理部２０６は、ホワイトバランス調整処理部２２０、画像信号レベル調整をするゲイン処理部２２２、ローパスフィルター処理部２２４、色成分の構成を変換するマトリックス演算処理部２２６、コントラストの調整を行うガンマ特性テーブル変換処理部２２８、色成分にゲインをかける色ゲイン補正処理部２３０、色相を変換する色相調整処理部２３２、輪郭強調処理部２３３を備えて構成されている。
【００６６】
さらに、２３９は、これらの画像処理のうち、パラメータを切り替える画像処理を選択する指示信号２４０を出力する画像処理選択指示部、２３８はパラメータを切り替える画像処理を選択指示信号２４０により選択する画像処理選択部、２３４はパラメータを切り替える指示信号２３７を出力すると共に、第１のメモリ２０５から第２の画像信号２３６を読み出して再現像する指示信号２３５を出力するパラメータ切換指示部である。
【００６７】
各パラメータへの切換指示信号２３７のうち、ホワイトバランス調整処理部２２０のパラメータは２３７ａ、ゲイン処理部２２２のパラメータは２３７ｂ、ローパスフィルター処理部２２４のパラメータは２３７ｃ、マトリックス演算処理部２２６のパラメータは２３７ｄ、ガンマ特性変換処理部２２８のパラメータは２３７ｅ、色ゲイン補正処理部２３０のパラメータは２３７ｆ、色相調整処理部２３２のパラメータは２３７ｇ、輪郭強調処理部２３３のパラメータは２３７ｈによってそれぞれ切り替えられる。
【００６８】
従来例と同様に（Ｒ，Ｇ１，Ｇ２，Ｂ）の４色のカラーフィルタを持つ撮像素子２０１から得られた（Ｒ，Ｇ１，Ｇ２，Ｂ）４色の色成分で構成される画像信号２０２は、Ａ／Ｄ変換部２０３によってデジタルの第２の画像信号２０４に変換される。
【００６９】
このデジタル画像信号２０４は、図８に示されるデジタルカメラの背面８００の画像調整スイッチ８０４を押すことによって、その後の撮影が行われた際に、デジタル現像処理部２０６に送られる以外に、後述する再現像指示信号２３５により読み出し可能な第１のメモリ２０５に送られて保持されるように設定される。
【００７０】
画像信号２０４に対して、デジタル現像処理部２０６において、撮影後１回目のデジタル現像処理を行う。このとき、各種の画像処理におけるパラメータをデフォルトの設定状態で処理する。
【００７１】
本実施形態では、デジタル現像処理部２０６での処理には、ホワイトバランス調整処理部２２０、画像信号レベル調整をするレベル補正部２２２、ローパスフィルター処理部２２４、色成分の構成を変換するマトリックス演算処理部２２６、コントラストの調整を行うガンマ特性テーブル変換処理部２２８、色成分にゲインをかける色ゲイン補正処理部２３０、色相を変換する色相調整処理部２３２、輪郭強調処理部２３３の各種の画像処理があり、撮影前あるいは撮影後に図８における画像処理メニュースイッチ８１３を押して、表示画面にそれらの画像処理の種類を表示し、十字キー８０９〜８１２を押して画像処理の種類を選択し、セットボタン８０８を押すことによって、複数の画像処理の中からパラメータ設定を切り替える画像処理を決定する。
【００７２】
この操作によって、撮影されて１回目のデフォルトのパラメータでデジタル現像処理を終えた第３の画像信号２０７（色差信号）、２０８（輝度信号）は、フォーマット部２０９においてJPEGファイル形式の画像データに変換され、この画像信号２１０は第２のメモリ２１２に記録されるとともに、表示部２１１に送られて表示される。そのとき、表示部２１１では、前記の選択された画像処理のパラメータ設定の状態も一緒に表示する。このときは、１回目のデジタル現像処理結果であるので、選択された画像処理のデフォルトのパラメータの設定値が「標準」の設定値として表示される。
【００７３】
以下、本実施形態における特徴的な動作を、各画像処理を選択した場合毎に分けて説明する。
【００７４】
まず、画像処理のうち、ホワイトバランス調整処理部２２０のパラメータの設定値を切り替える場合について説明する。
【００７５】
図８における画像処理メニュースイッチ８１３と十字キー８０９〜８１２によって、デジタル現像処理における画像処理の中からホワイトバランスのパラメータ設定を切り替える画像処理を選び、セットボタン８０８を押すことによって決定すると、表示部８０１に図１０Ａのような１回目の「標準」の設定値によるデジタル現像処理結果の画像１００２とホワイトバランスの白点として設定した点を表す色度座標１００５が表示される。
【００７６】
ここでの色度座標の元になるＲ，Ｇｒ１，Ｇｒ２，Ｂ値は、ホワイトバランス制御に用いられるＷｂＲ，ＷｂＧｒ１，ＷｂＧｒ２，ＷｂＢの逆数よりそれぞれ求める。
【００７７】
Ｒ＝１／ＷｂＲ                  …（５）
Ｇｒ１＝１／ＷｂＧｒ１          …（６）
Ｇｒ２＝１／ＷｂＧｒ２          …（７）
Ｂ＝１／ＷｂＢ                  …（８）
そして、色度座標Ｘ，Ｙは、使用者が白点の位置を容易に把握できるように、横軸Ｘ（１００４）方向を黒体輻射軌跡、あるいは昼光軌跡に沿った軸とし、色温度で座標を表し、カメラ内での演算を高速かつ簡易に行うために、
Ｘ＝（Ｂ−Ｒ）／Ｙｉ          …（９）
と和差演算でＲｅｄ〜Ｂｌｕｅ方向、すなわち色温度方向を表している。
【００７８】
Ｘと色温度の関係は、図１８に示されるようなＸ−色温度テーブルをあらかじめ準備しておく。
【００７９】
また、縦軸Ｙ（１００３）も同様に、
Ｙ＝｛（Ｒ＋Ｂ）−（Ｇｒ１＋Ｇｒ２）｝／Ｙｉ      …（１０）
で、Ｇｒｅｅｎ〜Ｍａｇｅｎｔａ方向を表したもので定義することとする。
【００８０】
ここで、Ｙｉは色座標ＸＹを輝度成分で正規化するためのもので、例えばＮＴＳＣ規格で定義されている次式を用いてもよい。
【００８１】
Ｙｉ＝０．２９９×Ｒ＋０．５８７×（Ｇｒ１＋Ｇｒ２）／２＋０．１４４×Ｂ
…（１１）
図１０Ａは、まず撮影後の１回目のデジタル現像処理における画像処理で用いたホワイトバランス制御値より求めた色度座標ＸＹを表示部１００１に現像結果の画像とともに表示したものである。このときのホワイトバランスは、従来例で説明したオートホワイトバランスでもプリセットホワイトバランスでもマニュアルホワイトバランスのいずれの制御値でもよい。
【００８２】
次に、撮影者がこのホワイトバランス調整処理によるデジタル現像処理結果の画像の色再現をパラメータの設定値を変えることによって変更するために、デフォルトの（Ｘ，Ｙ）座標から目標となる白点座標（Ｘ'，Ｙ'）へ十字キー８０９〜８１２を用いて色度座標上を移動させる。図１０Ｂにおいて、★印がデフォルトの色度座標（Ｘ，Ｙ）（１００５）、☆印が変更目標となる色度座標（Ｘ'，Ｙ'）（１００６）である。十字キー８１０，８１１は、Ｒｅｄ〜Ｂｌｕｅ（色温度）方向のそれぞれ＋，−に一定間隔で移動するキーで、十字キー８０９、８１２は、Ｇｒｅｅｎ〜Ｍａｇｅｎｔａ方向のそれぞれ＋，−方向に一定間隔で移動するキーである。
【００８３】
目標点へ移動をしたら、セットボタン８０８を押すことによって、図２のパラメータ切換指示部２３４より第２の画像信号２３６を第１のメモリ２０５より読み出す信号とパラメータ設定値を切り替える信号２３７ａを出力して再現象処理を開始する。
【００８４】
ホワイトバランス調整処理での新しいパラメータである制御値は、従来例の（１）〜（４）式からわかるように、（Ｇｒ１＋Ｇｒ２）／２を基準としていることから、（Ｇｒ１＋Ｇｒ２）／２＝１．０倍として（１０）式に代入すると、（９）、（１０）式に（Ｘ'，Ｙ'）を代入することで、（Ｘ'，Ｙ'）に対応したＲ'：Ｇｒ'：Ｂ'比が求められ、（５）〜（８）式より変更したホワイトバランス調整処理のパラメータである新しい制御値のＷｂＲ'，ＷｂＧｒ１'，ＷｂＧｒ２'，ＷｂＢ'が求められる。このパラメータを用いて再デジタル現像処理を行い、現像結果の画像ファイル２１０を第２のメモリ２１２に送って記録し、表示部２１１に表示する。
【００８５】
この操作を繰り返すことによって、撮影者の所望する色再現結果の画像データが表示部２１１で再生した画像１００２によって確認できたら、図８の記録指示スイッチ８０５を押すことによって、記録指示部２１３より記録指示信号２１４が出力され、第２のメモリ２１２に記録されていた画像ファイルが記録部２１７に送られて記録媒体に記録される。
【００８６】
以上のようにして、ホワイトバランス処理演算のパラメータの「標準」の設定値を変更して再現像された画像を記録することで、撮影者の所望する色再現の画像を得ることができる。
【００８７】
ここでは、十字キー８０９〜８１２によって、ホワイトバランス白点の目標値を設定してパラメータを変更して再現像を行う説明をしたが、十字キー８０９〜８１２のいずれかを１回押す毎に移動した（Ｘ'，Ｙ'）座標（１００６）の数値を元に変更したホワイトバランス制御値を求めて再現像を行って結果の画像を表示してもよい。
【００８８】
次に、画像処理のうち、レベル補正部２２２のパラメータの設定値を切り替える場合について説明する。
【００８９】
図８における画像処理メニュースイッチ８１３と十字キー８０９〜８１２によって、デジタル現像処理における画像処理の中からレベル補正のパラメータ設定を切り替える画像処理を選び、セットボタン８０８を押すことによって決定すると、表示部１１０１に図１１のような１回目の「標準」の設定値によるデジタル現像処理結果の画像１１０２とレベル補正のゲイン値１１０３が表示される。１回目のデジタル現像処理結果では、「標準」である適正露出による撮影結果が表示されているので、図１１のように「×１．０」が表示される。
【００９０】
ここで、十字キー８０９を押すことにより、順次表示が「×１．２」、「×１．４」、…と変化し、十字キー８１２を押すことにより、順次表示が「×０．８」、「×０．６」、…と変化していく。撮影者が所望のゲイン値になったところで、セットボタン８０８を押すことによって、そのときのゲイン値がレベル補正部２２２の変更したパラメータの設定値として信号２３７ｂによって更新される。このとき、このパラメータを用いて再デジタル現像処理を行い、現像結果の画像ファイル２１０を第２のメモリ２１２に送って記録し、表示部２１１に表示する。
【００９１】
この操作を繰り返すことによって、撮影者の所望する露出の画像データが表示部２１１で再生した画像１１０２によって確認できたら、図８の記録指示スイッチ８０５を押すことによって、記録指示部２１３より記録指示信号２１４が出力され、第２のメモリ２１２に記録されていた画像ファイルが記録部２１７に送られて記録媒体に記録される。
【００９２】
以上のようにして、レベル補正処理のパラメータの「標準」の設定値を変更して再現像された画像を記録することで、撮影者の所望する露出の画像を得ることができる。
【００９３】
ここでは、十字キー８０９，８１２によって、レベル補正の目標となるゲイン値を設定してパラメータを変更して再現像を行う説明をしたが、十字キー８０９，８１２のいずれかを１回押す毎に変更したレベル補正ゲイン値によって再現像を行って結果の画像を順次表示してもよい。
【００９４】
また、ここではゲイン値を「×１．０」、「×１．２」、…と倍数の表記に設定したが、ＥＶ値による露出制御を用いて、「標準」を「０」として、「＋１．０」、「＋２．０」、…とし、例えば、「＋１．０」のときは、２倍のゲインを画像信号にかけ、「＋１／３」のときは、２（1/3）倍のゲインをかけるなどの処理を行ってもよい。
【００９５】
次に、画像処理のうち、ローパスフィルター処理部２２４のパラメータの設定値を切り替える場合について説明する。
【００９６】
図８における画像処理メニュースイッチ８１３と十字キー８０９〜８１２によって、デジタル現像処理における画像処理の中からローパスフィルターのパラメータ設定を切り替える画像処理を選び、セットボタン８０８を押すことによって決定すると、表示部１２０１に図１２のような１回目の「標準」の設定値によるデジタル現像処理結果の画像１２０２とローパスフィルター特性１２０３が表示される。１回目のデジタル現像処理結果では、「標準」である水平方向垂直方向とも「１−２−１」の３タップフィルターであることが表示される。
【００９７】
ここで、十字キー８１２を押すことにより、順次表示が「ＬＰＦ２：水平１−２−５−２−１、垂直１−２−５−２−１」「ＬＰＦ３：水平１−０−３−０−１、垂直１−２−１」と変化していく。撮影者が所望の画像が得られたところで、セットボタン８０８を押すことによって、そのときのローパスフィルターに変更したパラメータの設定値として信号２３７ｃによって更新される。このとき、このパラメータを用いて再デジタル現像処理を行い、現像結果の画像ファイル２１０を第２のメモリ２１２に送って記録し、表示部２１１に表示する。
【００９８】
この操作を繰り返すことによって、撮影者の所望する画像が表示部２１１で再生した画像１２０２によって確認できたら、図８の記録指示スイッチ８０５を押すことによって、記録指示部２１３より記録指示信号２１４が出力され、第２のメモリ２１２に記録されていた画像ファイルが記録部２１７に送られて記録媒体に記録される。
【００９９】
以上のようにして、ローパスフィルターのパラメータの「標準」の設定値を変更して再現像された画像を記録することで、撮影者の所望する解像感の画像を得ることができる。また、ローパスフィルター特性を切り替えることで、画像に偽色が発生した際も対応することができる。
【０１００】
ここでは、十字キー８０９，８１２によって、ローパスフィルターの目標となる特性を選択してパラメータを変更して再現像を行う説明をしたが、十字キー８０９，８１２のいずれかを１回押す毎に変更したローパスフィルターの特性によって再現像を行って結果の画像を順次表示してもよい。
【０１０１】
次に、画像処理のうち、色成分の構成を変換するマトリックス演算処理部２２６のパラメータの設定値を切り替える場合について説明する。
【０１０２】
図８における画像処理メニュースイッチ８１３と十字キー８０９〜８１２によって、デジタル現像処理における画像処理の中からカラーマトリックスのパラメータ設定を切り替える画像処理を選び、セットボタン８０８を押すことによって決定すると、表示部１３０１に図１３のような１回目の「標準」の設定値によるデジタル現像処理結果の画像１３０２とともに、１３０３に１回目のデジタル現像処理結果は「標準」である「マトリックス１（標準）」による現像結果であることが表示される。
【０１０３】
ここで、十字キー８１２を押すことにより、順次表示が「マトリックス２」、「マトリックス３」、「マトリックス４」と変化していく。それぞれのマトリックステーブルには、従来例の式（Ａ）における色再現が変えられるような４×３の各要素値ｍ11〜ｍ34を持つマトリックステーブルを準備しておく。撮影者が所望のマトリックステーブルが設定されたところで、セットボタン８０８を押すことによって、そのときのカラーマトリックステーブルに変更したパラメータの設定値として信号２３７ｄによって更新される。このとき、このパラメータを用いて再デジタル現像処理を行い、現像結果の画像ファイル２１０を第２のメモリ２１２に送って記録し、表示部２１１に表示する。
【０１０４】
この操作を繰り返すことによって、撮影者の所望する色再現の画像データが表示部２１１で再生した画像１３０２によって確認できたら、図８の記録指示スイッチ８０５を押すことによって、記録指示部２１３より記録指示信号２１４が出力され、第２のメモリ２１２に記録されていた画像ファイルが記録部２１７に送られて記録媒体に記録される。
【０１０５】
以上のようにして、カラーマトリックスのパラメータの「標準」の設定値を変更して再現像された画像を記録することで、撮影者の所望する色再現の画像を得ることができる。
【０１０６】
ここでは、十字キー８０９，８１２によって、カラーマトリックステーブルの目標となるテーブルを選択してパラメータを変更して再現像を行う説明をしたが、十字キー８０９，８１２のいずれかを１回押す毎に変更したカラーマトリックステーブルによって再現像を行って結果の画像を順次表示してもよい。
【０１０７】
また、十字キー８０９〜８１２とセットボタン８０８によって、カラーマトリックスの各要素の数値ｍ11〜ｍ34を個別に選択して、この数値の大きさを変化させて再現像することも可能である。
【０１０８】
次に、画像処理のうち、コントラストの調整を行うガンマ特性テーブル変換処理部２２８のパラメータの設定値を切り替える場合について説明する。
【０１０９】
図８における画像処理メニュースイッチ８１３と十字キー８０９〜８１２によって、デジタル現像処理における画像処理の中からガンマテーブルのパラメータ設定を切り替える画像処理を選び、セットボタン８０８を押すことによって決定すると、表示部１４０１に図１４のような１回目の「標準」の設定値によるデジタル現像処理結果の画像１４０２と「ガンマ１（標準）」が１４０３の表と１４０４の特性グラフに表示される。
【０１１０】
ここで、十字キー８１２を押すことにより、順次表示が「ガンマ２」、「ガンマ３」と変化していく。それぞれのガンマ特性テーブルは、図６に示されるような特性のテーブルを準備しておく。ここでは、「ガンマ１」の特性は６０１で標準的な特性、「ガンマ２」の特性は６０２で「ガンマ１」よりもコントラストの強い特性、「ガンマ３」の特性は６０３で「ガンマ１」よりもコントラストの弱い特性を示している。
【０１１１】
撮影者が所望のコントラストが得られたところで、セットボタン８０８を押すことによって、そのときのガンマ特性テーブルに変更したパラメータの設定値として信号２３７ｅによって更新される。このとき、このパラメータを用いて再デジタル現像処理を行い、現像結果の画像ファイル２１０を第２のメモリ２１２に送って記録し、表示部２１１に表示する。
【０１１２】
この操作を繰り返すことによって、撮影者の所望するコントラストの画像が表示部１４０１で再生した画像１４０２によって確認できたら、図８の記録指示スイッチ８０５を押すことによって、記録指示部２１３より記録指示信号２１４が出力され、第２のメモリ２１２に記録されていた画像ファイルが記録部２１７に送られて記録媒体に記録される。
【０１１３】
以上のようにして、ガンマ特性テーブルのパラメータの「標準」の設定値を変更して再現像された画像を記録することで、撮影者の所望するコントラストの画像を得ることができる。
【０１１４】
ここでは、十字キー８０９，８１２によって、ガンマ特性テーブルの目標となるテーブルを選択してパラメータを変更して再現像を行う説明をしたが、十字キー８０９，８１２のいずれかを１回押す毎に変更したガンマ特性テーブルによって再現像を行って結果の画像を順次表示してもよい。
【０１１５】
次に、画像処理のうち、色成分Ｃｒ，Ｃｂにゲインをかける色ゲイン補正処理部２３０のパラメータの設定値を切り替える場合について説明する。
【０１１６】
図８における画像処理メニュースイッチ８１３と十字キー８０９〜８１２によって、デジタル現像処理における画像処理の中から色ゲイン補正のパラメータ設定を切り替える画像処理を選び、セットボタン８０８を押すことによって決定すると、表示部２１１に図１５のような１回目の「標準」の設定値によるデジタル現像処理結果の画像１５０２とレベル補正のゲイン値１５０３が表示される。１回目のデジタル現像処理結果では、「標準」である色ゲイン１倍による撮影結果が表示されているので、図１５のように「×１．０」が表示される。
【０１１７】
ここで、十字キー８０９を押すことにより、順次表示が「×１．２」、「×１．４」、…と変化し、十字キー８１２を押すことにより、順次表示が「×０．８」、「×０．６」、…と変化していく。撮影者が所望の色ゲイン値になったところで、セットボタン８０８を押すことによって、そのときの色ゲイン値が色ゲイン補正部２３０の変更したパラメータの設定値として信号２３７ｆによって更新される。このとき、このパラメータを用いて再デジタル現像処理を行い、現像結果の画像ファイル２１０を第２のメモリ２１２に送って記録し、表示部２１１に表示する。
【０１１８】
この操作を繰り返すことによって、撮影者の所望する色の濃度の画像が表示部２１１で再生した画像１５０２によって確認できたら、図８の記録指示スイッチ８０５を押すことによって、記録指示部２１３より記録指示信号２１４が出力され、第２のメモリ２１２に記録されていた画像ファイルが記録部２１７に送られて記録媒体に記録される。
【０１１９】
以上のようにして、色ゲイン補正処理のパラメータの「標準」の設定値を変更して再現像された画像を記録することで、撮影者の所望する露出の画像を得ることができる。
【０１２０】
ここでは、十字キー８０９，８１２によって、色ゲイン補正の目標となるゲイン値を設定してパラメータを変更して再現像を行う説明をしたが、十字キー８０９，８１２のいずれかを１回押す毎に変更した色ゲイン補正のゲイン値によって再現像を行って結果の画像を順次表示してもよい。
【０１２１】
次に、画像処理のうち、色成分Ｃｒ，Ｃｂの色相を回転させる色相調整処理部２３２のパラメータの設定値を切り替える場合について説明する。
【０１２２】
図８における画像処理メニュースイッチ８１３と十字キー８０９〜８１２によって、デジタル現像処理における画像処理の中から色相調整のパラメータ設定を切り替える画像処理を選び、セットボタン８０８を押すことによって決定すると、表示部１６０１に図１６のような１回目の「標準」の設定値によるデジタル現像処理結果の画像１６０２と色相調整のテーブル１６０３が表示される。１回目のデジタル現像処理結果では、「標準」である色相調整による撮影結果が表示されているので、図１６のように「標準」と表示される。
【０１２３】
ここで、十字キー８０９を押すことにより、順次表示が「＋１」、「＋２」、…と変化し、十字キー８１２を押すことにより、順次表示が「−１」、「−２」、…と変化していく。それぞれの色相回転テーブルには、従来例の式（Ｂ）における色再現が変えられるような２×２の各要素値を持つ色相回転テーブルを準備しておく。式（Ｂ）の２×２のマトリックスは、ＣｒＣｂ色座標上で回転角θを与える行列で、各テーブルの段階ごとに均等の回転角が設定されている。
【０１２４】
撮影者が所望の色相テーブルになったところで、セットボタン８０８を押すことによって、そのときの色相回転マトリックスが色相調整部２３２の変更したパラメータの設定値として信号２３７ｇによって更新される。このとき、このパラメータを用いて再デジタル現像処理を行い、現像結果の画像ファイル２１０を第２のメモリ２１２に送って記録し、表示部２１１に表示する。
【０１２５】
この操作を繰り返すことによって、撮影者の所望する色再現の画像が表示部２１１で再生した画像１６０２によって確認できたら、図８の記録指示スイッチ８０５を押すことによって、記録指示部２１３より記録指示信号２１４が出力され、第２のメモリ２１２に記録されていた画像ファイルが記録部２１７に送られて記録媒体に記録される。
【０１２６】
以上のようにして、色相調整処理のパラメータの「標準」の設定値を変更して再現像された画像を記録することで、撮影者の所望する色再現の画像を得ることができる。
【０１２７】
ここでは、十字キー８０９，８１２によって、色相調整の目標となる色相回転テーブルを設定してパラメータを変更して再現像を行う説明をしたが、十字キー８０９，８１２のいずれかを１回押す毎に変更した色相回転テーブルによって再現像を行って結果の画像を順次表示してもよい。
【０１２８】
次に、画像処理のうち、輪郭強調処理部２３３のパラメータの設定値を切り替える場合について説明する。
【０１２９】
図８における画像処理メニュースイッチ８１３と十字キー８０９〜８１２によって、デジタル現像処理における画像処理の中から輪郭強調のパラメータ設定を切り替える画像処理を選び、セットボタン８０８を押すことによって決定すると、表示部１７０１に図１７のような１回目の「標準」の設定値によるデジタル現像処理結果の画像１７０２とその画像の部分拡大画像１７０４と輪郭強調テーブル１７０３が表示される。１回目のデジタル現像処理結果では、「標準」である輪郭強調による撮影結果が表示されているので、図１７のように「標準」と表示される。
【０１３０】
ここで、十字キー８０９を押すことにより、順次表示が「＋１」、「＋２」と変化し、十字キー８１２を押すことにより、順次表示が「−１」、「−２」と変化していく。それぞれの輪郭強調テーブルは、従来例のように輪郭強調の強さを変化させるテーブルを準備しておく。
【０１３１】
従来例のように、輪郭強調をかける画素に対して参照する隣接画素の数やエッジ強調のゲイン値やエッジ強調をかける輪郭検出の閾値であるオフセット値をそれぞれセットで準備して輪郭強調の強さを変化できるテーブルにする。いずれも参照する隣接画素を８画素とし、
「標準」では、エッジ強調ゲイン値：１．０、オフセット値：４．０
「＋１」では、エッジ強調ゲイン値：２．０、オフセット値：２．０
「＋２」では、エッジ強調ゲイン値：３．０、オフセット値：１．０
「−１」では、エッジ強調ゲイン値：０．５、オフセット値：４．０
「−２（輪郭強調オフ）」では、エッジ強調ゲイン値：０．０、オフセット値：任意
と設定する。
【０１３２】
撮影者が所望の輪郭強調テーブルになったところで、セットボタン８０８を押すことによって、そのときの輪郭強調テーブルが輪郭強調処理部２３３の変更したパラメータの設定値として信号２３７ｈによって更新される。このとき、このパラメータを用いて再デジタル現像処理を行い、現像結果の画像ファイル２１０を第２のメモリ２１２に送って記録し、表示部２１１に表示する。
【０１３３】
この操作を繰り返すことによって、撮影者の所望するシャープネスの画像が表示部２１１で再生した画像１７０２および１７０４によって確認できたら、図８の記録指示スイッチ８０５を押すことによって、記録指示部２１３より記録指示信号２１４が出力され、第２のメモリ２１２に記録されていた画像ファイルが記録部２１７に送られて記録媒体に記録される。
【０１３４】
以上のようにして、輪郭強調処理のパラメータの「標準」の設定値を変更して再現像された画像を記録することで、撮影者の所望するシャープネスの画像を得ることができる。
【０１３５】
ここでは、十字キー８０９，８１２によって、輪郭強調の目標となるテーブルを設定してパラメータを変更して再現像を行う説明をしたが、十字キー８０９，８１２のいずれかを１回押す毎に変更した輪郭強調テーブルによって再現像を行って結果の画像を順次表示してもよい。
【０１３６】
また、輪郭強調の参照周辺画素数やエッジ強調ゲイン値やオフセット値毎に、個別に数値を切り替えることも可能である。
【０１３７】
このようにして、撮影中の撮影条件の変化などにより、撮影者の意図が反映されない画質の画像が撮影された場合であっても、現像パラメータを切り替えて再設定してデジタル現像処理することが可能となり、また、設定したパラメータが最適なものであるかの確認を容易に行えるので、再撮影を繰り返す必要がなくなり、撮影者の意図した撮影場面を撮り逃すことがなくなり、最適な撮影結果を常時実現できるようになる。
【０１３８】
以上説明したように、上記の第１及び第２の実施形態によれば、撮像素子からの撮影データを一旦メモリに記録しておき、撮影データのデジタル現像処理結果の画像を表示し、デジタル現像処理時の各種の画像処理のパラメータが撮影画像に対して不適切であった場合、再度パラメータ設定を修正して、メモリから撮影データを読み出して再デジタル現像処理を行い、撮影者の意図した画質を撮影画像に対して実現することによって、撮影者の意図した撮影場面を撮り逃すことがなくなり、最適な撮影結果を常時実現することができるようになる。
【０１３９】
（他の実施形態）
また、各実施形態の目的は、前述した実施形態の機能を実現するソフトウェアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても、達成されることは言うまでもない。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。
【０１４０】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【０１４１】
本発明を上記記憶媒体に適用する場合、その記憶媒体には、先に説明した手順に対応するプログラムコードが格納されることになる。
【図面の簡単な説明】
【０１４２】
【図１】本発明の第１の実施形態に係る撮像装置の一例であるデジタルカメラの構成を示すブロック図である。
【図２】本発明の第２の実施形態に係る撮像装置の一例であるデジタルカメラの構成を示すブロック図である。
【図３】従来のデジタルカメラの構成の一例を示すブロック図である。
【図４】本発明の第１の実施形態のデジタルカメラの背面を示す図である。
【図５】図４の情報表示部を示す図である。
【図６】ガンマテーブル特性を示す図である。
【図７】ガンマテーブル特性を示す図である。
【図８】本発明の第２の実施形態のデジタルカメラの背面を示す図である。
【図９】図８の情報表示部を示す図で、画像処理メニューを表示した状態を示す図である。
【図１０Ａ】図８の情報表示部を示す図で、ホワイトバランスの標準パラメータでの現像結果を表示した状態を示す図である。
【図１０Ｂ】図８の情報表示部を示す図で、ホワイトバランスのパラメータを切り替える場合の表示を示す図である。
【図１１】図８の情報表示部を示す図で、レベル補正のパラメータを切り替える場合の表示を示す図である。
【図１２】図８の情報表示部を示す図で、ローパスフィルター特性のパラメータを切り替える場合の表示を示す図である。
【図１３】図８の情報表示部を示す図で、色変換マトリックスのパラメータを切り替える場合の表示を示す図である。
【図１４】図８の情報表示部を示す図で、ガンマ特性のパラメータを切り替える場合の表示を示す図である。
【図１５】図８の情報表示部を示す図で、色ゲイン補正のパラメータを切り替える場合の表示を示す図である。
【図１６】図８の情報表示部を示す図で、色相調整のパラメータを切り替える場合の表示を示す図である。
【図１７】図８の情報表示部を示す図で、輪郭強調のパラメータを切り替える場合の表示を示す図である。
【図１８】ホワイトバランスを求めるための色度座標Ｘと色温度との対応テーブルを示す図である。
【図１９】ホワイトバランスを求めるための色度座標上の黒体輻射軌跡もしくはＣＩＥ昼光軌跡と無彩色領域を表す図である。
【図２０】輪郭強調処理を行うときの対象画素と周辺画素の関係を示す図である。
【図２１】デジタルカメラの撮像部における撮像素子上の色フィルターの配列を説明する図である。
【図２２】画像データの色成分ごとの処理を説明する図である。
【図１】
2006005477.tif 000006
【図２】
2006005477.tif 000007
【図３】
2006005477.tif 000008
【図４】
2006005477.tif 000009
【図５】
2006005477.tif 000010
【図６】
2006005477.tif 000011
【図７】
2006005477.tif 000012
【図８】
2006005477.tif 000013
【図９】
2006005477.tif 000014
【図１０Ａ】
2006005477.tif 000015
【図１０Ｂ】
2006005477.tif 000016
【図１１】
2006005477.tif 000017
【図１２】
2006005477.tif 000018
【図１３】
2006005477.tif 000019
【図１４】
2006005477.tif 000020
【図１５】
2006005477.tif 000021
【図１６】
2006005477.tif 000022
【図１７】
2006005477.tif 000023
【図１８】
2006005477.tif 000024
【図１９】
2006005477.tif 000025
【図２０】
2006005477.tif 000026
【図２１】
2006005477.tif 000027
【図２２】
2006005477.tif 000028